(57)【要約】【課題】  本発明の目的は、簡易で設置コストも小さく効果的な雪崩防止法面構造を提供することである。【解決手段】  成形した法面上に、多数のセルからなりハニカム構造をしたハニカム状立体補強材を展帳して設置し、当該セルにセル高までの充填材を満たさずにセル形状を維持したままにする空ハニカム層を設置した雪崩防止用ハニカム法面。前記空ハニカム層に前記セルのセル高の半分以下の高さまで充填材を充填した雪崩防止用ハニカム法面。前記空ハニカム層に前記セルのセル形状を維持できる程度にモルタル吹き付けをした雪崩防止用ハニカム法面。【選択図】図４
2014080788.tif 000002
【特許請求の範囲】
【請求項１】
成形した法面上に、多数のセルからなりハニカム構造をしたハニカム状立体補強材を展帳して設置し、当該セルにセル高までの充填材を満たさずにセル形状を維持したままにする空ハニカム層を設置した雪崩防止用ハニカム法面。
【請求項２】
前記空ハニカム層に前記セルのセル高の半分以下の高さまで充填材を充填した請求項１記載の雪崩防止用ハニカム法面。
【請求項３】
前記空ハニカム層に前記セルのセル形状を維持できる程度にモルタル吹き付けをした請求項１または請求項２のいずれかに記載の雪崩防止用ハニカム法面。
【発明の詳細な説明】
【技術分野】
【０００１】
本発明は、斜面の積雪層の滑りを抑止して雪崩を防止する雪崩防止法面構造に関する。
【背景技術】
【０００２】
斜面の積雪層は、積雪層底面の地熱による融雪や積雪層の圧密沈下が要因となり、重力の作用によって常時谷側に移動しており、この積雪層の移動が雪崩発生の大きな要因となっている。斜面積雪層の移動や変形（クリープ現象）により、斜面の積雪層全体が滑り出し、斜面積雪層全体がバランスを崩して全層雪崩となる。
【０００３】
斜面の下に道路がある場合には、当該斜面の中腹に特許文献１記載のような雪崩防護柵を設置するのが一般的である。しかし、当該雪崩防護柵設置箇所より下の斜面に積雪し積雪層ができた場合、当該積雪層がずり落ちて、道路に影響を及ぼすことがあった。
【０００４】
当該積雪層のずり落ち対策としては、ガードロープのような弾力性を有するワイヤロープを積雪層の滑り止めとして使用する方法がある。また、特許文献２、特許文献３記載の凸型ブロック等の雪崩抑止施設を斜面に設置することも一般的に行われている。
【先行技術文献】
【特許文献】
【０００５】
【特許文献１】特開２０１０−２２２９３６号公報
【特許文献２】特開２００２−３０２９１２号公報
【特許文献３】特開２０１０−１３８６４６号公報
【発明の概要】
【発明が解決しようとする課題】
【０００６】
前記ガイドロープによる方法は、簡易で設置コストも小さく、降雪初期の雪質が柔らかい時期には中抜け現象により受圧幅の小さいワイヤロープは垂れ下がる等の雪害が発生しないが、雪質が締め固まる融雪期には斜面積雪層による雪の圧力や沈降荷重により垂れ下がってしまい、ワイヤロープを計画高さに維持することが困難である。
【０００７】
前記凸型ブロック等の雪崩抑止施設を斜面に設置する方法は、設置するために法面上に基礎を施工しなければならず、設置工事が大規模になり、コストも嵩む。
【０００８】
本発明の目的は、簡易で設置コストも小さく効果的な雪崩防止法面構造を提供することである。
【課題を解決するための手段】
【０００９】
本発明者は、成形した法面上に、多数のセルからなりハニカム構造をしたハニカム状立体補強材を展帳してセルの立体形状を維持したままの空のセル（空ハニカム層）を設置することで、前記課題を解決できることを見出し、本発明を完成した。
【００１０】
請求項１記載の発明は、
成形した法面上に、多数のセルからなりハニカム構造をしたハニカム状立体補強材を展帳して設置し、当該セルにセル高までの充填材を満たさずにセル形状を維持したままにする空ハニカム層を設置した雪崩防止用ハニカム法面である。
【００１１】
成形した法面上に、多数のセルからなりハニカム構造をしたハニカム状立体補強材を展帳して設置した後、ハニカム状立体補強材の通常の使用方法ではセルにセル高まで充填材を完全に満たすが、本発明に於いてはセルに充填材を完全に満たさずに、セルの立体形状を維持したままにすることが発明の特徴点である。
【００１２】
請求項２記載の発明は、
前記空ハニカム層に前記セルのセル高の半分以下の高さまで充填材を充填した請求項１記載の雪崩防止用ハニカム法面である。
【００１３】
請求項３記載の発明は、
前記空ハニカム層に前記セルのセル形状を維持できる程度にモルタル吹き付けをした請求項１または請求項２のいずれかに記載の雪崩防止用ハニカム法面である。
【発明の効果】
【００１４】
本発明により、簡易で設置コストも小さく雪崩抑止効果の高い雪崩防止法面構造を提供することができる。
【図面の簡単な説明】
【００１５】
【図１】ハニカム状立体補強材の展張前の斜視図である。
【図２】ハニカム状立体補強材を展張した際の斜視図である。
【図３】ハニカム状立体補強材を斜面上で展帳した際の斜視図である。
【図４】斜面上で展帳したハニカム状立体補強材のセルに充填材をセル高の半分程度まで充填した際の斜視図である。
【図５】斜面上で展帳したハニカム状立体補強材のセルに充填材をセル高の半分程度まで充填した際の断面図である。
【図６】図５の法面に積雪した場合の様子を示した断面図である。
【発明を実施するための形態】
【００１６】
以下、本発明の実施形態について説明する。なお、本実施形態は、本発明を実施するための一形態に過ぎず、本発明は本実施形態によって限定されるものではなく、本発明の要旨を逸脱しない範囲で種々の変更実施の形態が可能である。
【００１７】
本発明は、成形した法面上に、多数のセルからなりハニカム構造をしたハニカム状立体補強材を展帳して設置し、当該セルにセル高までの充填材を満たさずにセル形状を維持したままにする空ハニカム層を設置した雪崩防止用ハニカム法面である。本発明では、成形した法面上に、多数のセルからなりハニカム構造をしたハニカム状立体補強材を展帳して設置した後、ハニカム状立体補強材の通常の使用方法ではセルにセル高まで充填材を完全に満たすが、本発明に於いてはセルに充填材を完全に満たさずに、セルの立体形状を維持したままにすることで雪崩を抑止しているが、このような事例はこれまで知られていない。
【００１８】
以下、本発明に用いるハニカム状立体補強材を、図を用いて説明する。
図１は、ハニカム状立体補強材１の展張前の斜視図である。ハニカム状立体補強材１は、複数枚ストリップ材２を一定間隔の結合部位４にて結合したものである。このハニカム状立体補強材１は展張方向５に展張してハニカム状のセル構造を形成する。
【００１９】
ハニカム状立体補強材に利用される素材は樹脂が好ましく、樹脂の中でも高密度ポリエチレンが好適である。
【００２０】
ストリップ材２にはセル内に溜まる水を排出するために孔３を設ける。孔の大きさや形状はどのようなものでもよい。孔の数は多い方が良いが、多すぎるとストリップ材の強度が低下するため、ストリップ材の面積の４０％を越えない程度の数がよい。また孔の配置は直列でも千鳥配置でもよい。
【００２１】
図２は、図１で示したハニカム状立体補強材を展張した際の斜視図である。ハニカム状立体補強材１を展張すると、ハニカム状のセル６が形成される。一般的なハニカム状立体補強材の使用方法としては、ハニカム状立体補強材セル６内にセルの高さまで充填材７を充填して締め固めを行うことにより、剛性のあるハニカム構造体を形成させる。
【００２２】
しかし本発明は、充填材を展帳したハニカム状立体補強材のセルの高さまで、充填せず、セル形状を残したままにする点に特徴がある。セル形状を残すことで、当該ハニカム状立体補強材のセル壁に積雪が引っかかり、積雪層が容易に斜面を滑り落ちることがない。
【００２３】
図３は、ハニカム状立体補強材１を斜面上で展帳した際の斜視図である。図３のようにハニカム状立体補強材に全く充填材を充填しない状態のまま固定することができれば、最も効果的に積雪層を斜面に固定することができる。このように斜面に固定する方法としては、アンカーピンや杭などにより固定する方法や、ハニカム状立体補強材を設置する前の斜面にコンクリートを打設してコンクリートが固まらないうちにハニカム状立体補強材を展帳敷設する方法などが挙げられる。
【００２４】
図４は、斜面上で展帳したハニカム状立体補強材１のセルに充填材をセル高の半分程度まで充填した際の斜視図である。図５は、斜面上で展帳したハニカム状立体補強材１のセルに充填材をセル高の半分程度まで充填した際の断面図である。ハニカム状立体補強材を固定するためにハニカム状立体補強材のセル形状を維持できる程度に充填材を充填することが可能である。図４においては、セル高の半分程度の深さに法面を掘削し、掘削面にハニカム状立体補強材を展帳して敷設し、セル高の半分程度まで充填材（砕石）を充填した例を示した。
【００２５】
展帳したハニカム状立体補強材に充填する充填材としては、砂、土砂、砕石などどのようなものでも使用できるが、できれば水はけのよい充填材がよい。水はけの良い充填材の例としては砂、砕石が挙げられる。しかし、セル内の充填材上を植生させる場合には水はけが良すぎると植生が阻害されるので、適宜選択する。セルの充填材上を植生する方法としては、充填材上に植生マットを敷設する、種子を蒔く等の方法がある。
【００２６】
法面上に展帳したハニカム状立体補強材の上から、ハニカム状立体補強材のセル形状を維持できる程度にモルタル吹き付けを行って、ハニカム状立体補強材の自立性を高めることもできる。これは、プラスチックからなるハニカム状立体補強材のセルの強度を高めるための方策であり、モルタル吹き付けを行うと、積雪に対してよりハニカム状立体補強材のセル壁が食い込み、雪崩抑止効果を高めることができる。
【００２７】
図６は、図５の法面に積雪した場合の様子を示した断面図である。図のように法面にハニカム状立体補強材を展帳して設置すると、その上に積もった積雪が当該ハニカム状立体補強材のセルに食い込み、積雪と法面との間の摩擦力が増大し、雪崩の抑止効果が発揮される。
【産業上の利用可能性】
【００２８】
本発明のハニカム状立体補強材を展帳して法面に設置する方法を利用することで、低価格で簡単に効果的な雪崩防止法面構造を提供することができる。
【符号の説明】
【００２９】
１    ハニカム状立体補強材
２    ストリップ材
３    孔
４    結合部位
５    展帳方向
６    セル
７    充填材
８    積雪
【図１】
2014080788.tif 000003
【図２】
2014080788.tif 000004
【図３】
2014080788.tif 000005
【図４】
2014080788.tif 000006
【図５】
2014080788.tif 000007
【図６】
2014080788.tif 000008